(57)【要約】      （修正有）【課題】杖の利用者が、片手使いで素早い操作で自立と解除の出来る自立杖を提供する。【解決手段】杖軸１の上端に握り手２と下端に石突きキャップ３を備えた杖において、該杖が、自立する為に設けた数本の接地脚４の片端４ａは、握り手２に近接する杖軸１に貫通でなるパイプ状のスリーブ５に支点６を介し回動接続し、他の端４ｂは石突きキャップ３に支点６を介し回動連係する脚止め部材７の先端７ａと支点６を介し双方が回動結合し、スリーブ５が定位置より下端へ移動することで接地脚４の端４ｂが同時に開き、脚止め部材７の最大開きに順じて端４ｂが接地し、この時のスリーブ５の移動規制は、其れに設けた爪孔５ａと、杖軸１に設けた、弾発力を介して杖軸１外周に出入れするストッパー爪８との係合が、握り手２に近接する、スリーブ５のワンタッチ片手操作により労せず接地脚４の開閉とホールドを自在にする。【選択図】図１
0003143277.tif 000002
【実用新案登録請求の範囲】
【請求項１】
杖軸１の上端に握り手２と下端に石突きキャップ３を備えた杖において、該杖が、自立する為に設けた数本の接地脚４の片端４ａは、握り手２に近接する杖軸１に貫通でなるパイプ状のスリーブ５に支点６を介し回動接続し、他の端４ｂは石突きキャップ３に支点６を介し回動連係する脚止め部材７の先端７ａに支点６を介し回動結合し、スリーブ５が定位置より下端へ移動することで接地脚４の端４ｂが同時に開き、脚止め部材７の最大開きに順じて接地し、この時のスリーブ５の移動規制は、其れに設けた爪孔５ａと、杖軸１に設けた、弾発力を介して杖軸１外周に出入れするストッパー爪８との係合が、握り手２に近接する、スリーブ５のワンタッチ片手操作により労せず接地脚４の開閉とホールドを自在にしたことを特徴とする自立杖。
【考案の詳細な説明】
【技術分野】
【０００１】  この考案は、高齢者や体の不自由な身障者が、歩行の補助用具として用いる杖に関し、更に、詳しくは、杖を使って歩行中に不意に握り手を杖より離す場面での、杖を直ぐ使える様に地面や床面に倒れる事無く、片手のワンタッチ操作で直立の出来る自立杖の改良に関する。
【背景技術】
【０００２】  この種の従来の技術として、最も近い作用構成として、例えば、出願番号実願平１０−４６２１、考案名称、「自立杖及び自立補助具」で知られる。即ち、これらの杖は、中空の杖軸下部に軸方向２本以上の長方形のスリットを設け、該スリット内に可動部及び固定部に補助脚を取り付け、可動部と固定部の間にコイルばねを、また、可動部と杖軸上部の係止部との間にワイヤを装着した構成でなる自立杖が開示される。【０００３】  これらの構成での自立杖は、使っている杖を自立させたい時には、係止部のワイヤをゆるめるとコイルばねの引っ張り力により可動部が下に動き，補助脚はスリットより離れ，杖の先端部の下端まで下がりながら広だって止まり、杖が自立させる事が出来る。
【考案の課題】
【０００４】  しかしながら、上記する従来技術の場合は、パイプ状でなる杖軸の下部に補助脚がもぐり込む為の長方形のスリットが開口し、杖が自立するのに少なくとも３脚を装着しない限り、転倒することから、これらの少なくとも３本の補助脚の出し入れする開口部が杖の細い外周にきり込む為、残り肉厚が少なく、杖の力点となる下部の強度が極端に落ち、不測に破損する危険があり、更には、これらの強度落ちを補強する必要からかなり太い杖軸になることで、重く、使いにくい杖になるいう課題が残る。
【０００５】  また、３本の補助脚の開閉はコイルばねの引っ張り力に打ち勝って係止部に保持するコイルばねに結ばれるワイヤの取り外しに、指先にかかる負担が大きい為指先操作に不向きな利用者には負担が多すぎる等の課題がある。
【０００６】  そしてまた、コイルばねやワイヤ或いは、３本の捕助脚がもぐり込む為の中空が杖軸に要求される為パイプ状の杖にしか、これらの装置が対応できないことから、ムク材での杖棒の商品化が出来ないという課題が残る。
【課題を解決する為の手段】
【０００７】  この考案は、かかる課題を解決する為に、請求項１での考案は、図１、図２で述べる様に、杖軸１の上端に握り手２と下は端に石突きキャップ３を備えた杖において、該杖が、自立する為に設けた数本の接地脚４の片端４ａは、握り手２近接する杖軸１貫通でなるパイプ状のスリーブ５に支点６を介し接続し，他の端４ｂは石突きキャップ３に連係する脚止め部材７の先端７ａと結合し、スリーブ５が定位置より下端へ移動することで接地脚４の端４ｂが同時に開き，脚止め部材７の最大開きに順じて接地し、この時のスリーブ５の移動規制は、其れに設けた爪穴５ａ、５０ａと、弾発力を介して杖軸１外周に出入れするストッパー爪８との係合が、スリーブ５のワンタッチ片手操作により接地脚４の開閉とホールドを可能な構成にする。
【考案の効果】
【０００８】  この考案は、上述の通り構成作用するので、次ぎの優れた効果を奏する。
即ち、本考案での自立杖の利用者は、思いがけず片手に握った杖を離し、其の場に杖を直立のままに置いて置きたい時は、杖を握った手を使い握り手の傍に設けたスリーブに握り変え、其の握り部に装備するストッパー爪を押して、其のまま下に向け停止するまで僅かな握り手の移動で、労せずに弱い握力で接地脚が全開する事が出来る事で、杖から手を離しても倒れたり傾いたりする事のない自立杖を提供する事が出来る。
【０００９】  また、直立する本考案の自立杖を使う時はスリーブを片手で握ったままストッパー爪を押して其のまま上に向け停止するまで僅かな握り手の移動で、接地脚が閉じる事で、通常の杖に早変わりで使える、ワンタッチで片手操作の出来る自立杖を提供する事が出来る。
【考案を実施するための最良の形態】
【００１０】  以下に図示の実施例に基づいて、本考案を更に詳細に説明する。即ち、図１は本考案での第１実施例に基づく全体を示す斜視図で、図２は同じく第１実施例に基づく使用例での斜視図を示すが、杖軸１は本実施例では硬質アルミパイプで上部に一体化する握り手２は木製で、下端に設ける合成樹脂製でなる石突きキャップ３が硬く差し込まれれ、この杖軸１には握り手２近辺に貫通して上下に程よくスライドする合成成樹脂製のパイプ状のスリーブ５が定位置で所定の移動規制可能に差し込まれ、このスリーブ５の外周縁に沿うって、本実施例では３本の細長い金属製の接地脚４の片端４ａが支点６を介し、程よい回動で結合し、杖軸１の外周に沿うって石突きキャップ３方向に直線状に伸び、その他の端４ｂは、石突きキャップ３に支点６を介し回動連係する３本の脚止め部材７の先端７ａに支点６を介し回動結合して、双方が連係可動構成とする。【００１１】  上記する合成樹脂製のパイプ状のスリーブ５は、定位置からのスライド作動のピッチ規制は、パイプ状の金属アルミ材等でなる杖軸１の外周に定位置に開口孔から弾発力を受け、押し圧で潜り、解除で復帰し飛び出すバネ性のストッパー爪８が装着し、その位置に整合してなる前記スリーブ５に開口する爪孔５ａともう１つの爪孔５０ａの双方に係合し、握り手２に近接した定位置で、スリーブ５の爪孔５ａにストッパー爪８が飛び出し、３本の接地脚４が閉成体でホールドされ、このスリーブ５の爪孔５ａに飛び出すストッパー爪８を軽く杖の握り手を移しスリーブ５を握り，其の指先で押し込み、解除されたスリーブ５を石突きキャップ３に向け移動させ、爪孔５０ａに達してストッパー爪８に整合しホールドし、同時に３本の接地脚４とそれに連係して作動する脚止め部材７とが全開し、杖軸１を中軸に其れを均等に取り巻く３脚によって杖軸１が安直に倒れる事のない構成とする。
【図面の簡単な説明】
【００１２】
【図１】  本考案に係わる実施例での全体を示す斜視図である。
【図２】  本考案に係わる実施例での使用を示しての全体斜視図である。
【符合の説明】
【００１３】  １      杖軸
２      握り手
３      石突きキャップ
４      接地脚
４ａ    片端
５      スリーブ
５ａ    爪孔
６      支点
７      脚止め部材
７ａ    先端
８      ストッパー爪
【図１】
0003143277.tif 000003
【図２】
0003143277.tif 000004